(57)【要約】【課題】簡素化した構造で高さ調整が出来ベッドで寝たきりの被介護者を介助人が持ち上げる事なく移乗用車椅子に乗せる事が出来また被介護者が自立でベッドより移乗用車椅子に乗り込み目的の場所に行く事と移乗用車椅子は座席のついた歩行補助具としても利用出来る事とで移乗用車椅子は座席の付いた食卓腕載せ台３と作業台等、色んな活用が出来る事を可能とする。【解決する手段】Ｌ字型の並行に配設された一対のパイプからなるキャスター付きの基台フレームを備えた車台と、該基台フレームのＬ型直立部と嵌合可能な垂下部を有するコの字型の一対のパイプからなる座席フレームを備えた座席台とで構成された片持ちの移乗用車椅子である。【選択図】図１４
2013163006.tif 000002
【特許請求の範囲】
【請求項１】
Ｌ字型の並行に配設された一対のパイプからなるキャスター付きの基台フレームを備えた車台と、該基台フレームのＬ型直立部と嵌合可能な垂下部を有するコの字型の一対のパイプからなる座席フレームを備えた座席台とで構成された片持ちの移乗用車椅子であって、
（１）該一対の基台フレームは、該基台フレームの一対の直立パイプ部にＵ字型の基台補強パイプを一体に固定して、該一対の基台フレーム幅を一定に保持するとともに倒壊を防止し、
（２）該一対の基台フレームは、該Ｕ字型の基台補強パイプの直立部の下部と該基台フレームの水平パイプ部のなす両端隅部に、各々基台フレーム補強部材を水平に取り付け、横ぶれを防止し、
（３）該一対の座席フレームは、前方両側間においてコの字型の連結部材の装着により、該一対の座席フレーム幅を一定に保持するとともに、把部を構成し、
（４）該一対の基台フレームと該一対の座席フレームは、該基台フレームのＬ形直立部と該座席フレームの垂下部とを各々着脱自在でかつ上下に調節し得るように嵌装連結して、該車台と該座席台とを一体化することを特徴とする移乗用車椅子。
【請求項２】
さらに、該基台フレームの両側水平パイプ部に、パイプ又はロッドからなる補強部材が嵌入されている請求項１記載の移乗用椅子。
【請求項３】
さらに、該水平基台フレーム補強部材に加えて、垂直補強部材が取り付けられている請求項１記載の移乗用椅子。
【請求項４】
さらに、該一対の座席フレームが逆Ｌ型のパイプ又はロッドからなる座席補強部材を備え、該座席補強部材は、垂下部において該基台補強パイプの直立部に着脱自在でかつ上下に調節できるように嵌装連結され、水平部において該座席フレームの下方水平パイプに沿って固定されている請求項１の移乗用車椅子。
【請求項５】
さらに、該一対の座席フレームの前方両側間にコの字型の連結部材を装着し、該一対の座席フレームを一定幅に保持するとともに、把部を構成する請求項１の移乗用車椅子。
【請求項６】
さらに、該一対の座席フレームの前方両側間の把部手前に腕乗台が架設されている請求項１の移乗用車椅子。
【請求項７】
さらに、該一対の座席フレームの後部両側間に着脱自在、又は両方の座席フレームのいずれか一方の後部下方水平軸に対し、一定幅をもって座席部材を面回動自在に取り付け、不使用時の定位置と使用時の定位置間で円弧状に反転移動するようにした請求項１の移乗用車椅子。
【請求項８】
さらに、該一対の座席フレームの後部開放端の両側間に着脱自在、又はいずれか一方の座席フレーム後部垂直軸の上部に対し、背もたれ部材を点回動自在に設け、不使用時の定位置と使用時の定位置間で円弧状に昇降移動するようにした請求項１の移乗用車椅子。
【請求項９】
基台フレーム、基台フレーム補強パイプ、キャスターからなる車台部材と、座席フレーム、座席フレーム補強部材、座席フレーム連結部材、腕乗台、床部材、背もたれ部材からなる座席台部材と、各部材の連結部具とが独立して収容されており請求項１の移乗用車椅子を構成するための移乗用車椅子キット。
【発明の詳細な説明】
【技術分野】
【０００１】  本発明は、被介護者が自立及び介助者によって身体障害者、身体弱者等を目的の場所まで移乗移送装置に関する移乗用車椅子
【背景技術】
【０００２】  近年は、要介護者の移乗にさまざまな形や多種機構もあり介護移乗として用意されている。屋外では車での移動も頻繁に行われているようで自動車の場合はリフターを具えた車で車椅子ごとに持ち上げて車両に乗せる事は出来るが室内でのベッドから車椅子の移動は人の手によって行われている。昨今は、高齢化社会を迎え介助人の人が足りなく少人数で介助に当たっているので介護者の腰への負担がかかり腰痛に悩む人が多く作業用能率が低下し行き届いた介護に無理を生じている。【０００３】  前文のような内容を解消させる為に提案された従来の移乗用車椅子は、例として、特許文献１に記載の移乗用車椅子１００がある（図６参照）は、背もたれと座席が同時に着脱可能で座席の高さが固定で高さ調整の機能がなくベッドに座らせて移乗用車椅子に乗せるしくみになっている。【０００４】  上記のような移乗用車椅子１００のような従来移乗用車椅子よればベッドに寝ている被介護者をベッドより起こしてベッドに座らせ座席と背もたれが同時に取り外す仕組みなのでスムーズに移乗する事が難しかった。【０００５】  前文のような内容を解消させる為に提案された従来の移乗用車椅子は、例として、特許文献２に記載の移乗用車椅子１００がある（図２３、図２４参照）ベルトコンベアーでベッドに寝ているのをベルトコンベアーでベルト回動によって移乗用車椅子に乗せるしくみである。【０００６】  上記のような移乗用車椅子１００のような従来移乗用車椅子であれば一人の介助者によって移乗用車椅子に乗せる事は可能ではある。しかしながら複雑な機構を備える大掛かりな装置にならざるを得ない。
【先行技術文献】
【特許文献】
【０００７】
【特許文献１】特許第４７７６７３６号
【特許文献２】特開平８−３０２３２７号公報
【発明の概要】
【発明が解決しようとする課題】
【０００８】  しかしながら、上記特許文献１で提案した移乗用車椅子は、座席と背もたれが同時に着脱可能であるのと座席の高さの調整の機能を備えていないのでベッドの上に寝ている被介護者を移乗用車椅子に乗せる事は出来ずベッドの高さが異なるベッドでは対応できなかった。【０００９】  また、上記特許文献２で提案した移乗用車椅子は、上に寝ている被介護者を移乗用車椅子に乗せる事は出来てベッドの高さが異なるベッドでも対応できるが、しかしながら大掛かりな装置で移乗用車椅子は重量があり一人の介助者では移動も困難で操作も複雑な装置にならざるを得なかった。【００１０】本発明は、介助人の労働軽減と一人で車椅子に乗れない弱者をトイレや目的の場所に連れて行き用を足す事と被介護者が自立でも目的を足す事を複雑な装置でなくて軽量で安価で製作できる事を目的とした移乗用車椅子である。
【課題を解決するための手段】
【００１１】項１
Ｌ字型の並行に配設された一対のパイプからなるキャスター付きの基台フレームを備えた車台と、該基台フレームのＬ型直立部と嵌合可能な垂下部を有するコの字型の一対のパイプからなる座席フレームを備えた座席台とで構成された片持ちの移乗用車椅子であって、
（１）該一対の基台フレームは、該基台フレームの一対の直立パイプ部にＵ字型の基台補強パイプを一体に固定して、該一対の基台フレーム幅を一定に保持するとともに倒壊を防止し、
（２）該一対の基台フレームは、該Ｕ字型の基台補強パイプの直立部の下部と該基台フレームの水平パイプ部のなす両端隅部に、各々基台フレーム補強部材を水平に取り付け、横ぶれを防止し、
（３）該一対の座席フレームは、前方両側間においてコの字型の連結部材の装着により、該一対の座席フレーム幅を一定に保持するとともに、把部を構成し、
（４）該一対の基台フレームと該一対の座席フレームは、該基台フレームのＬ形直立部と該座席フレームの垂下部とを各々着脱自在でかつ上下に調節し得るように嵌装連結して、該車台と該座席台とを一体化することを特徴とする移乗用車椅子。
項２
さらに、該基台フレームの両側水平パイプ部に、パイプ又はロッドからなる補強部材が嵌入されている請求項１の移乗用椅子。
項３
さらに、該水平基台フレーム補強部材に加えて、垂直補強部材が取り付けられている請求項１の移乗用椅子。
項４
さらに、該一対の座席フレームが逆Ｌ型のパイプ又はロッドからなる座席補強部材を備え、該座席補強部材は、垂下部において該基台補強パイプの直立部に着脱自在でかつ上下に調節できるように嵌装連結され、水平部において該座席フレームの下方水平パイプに沿って固定されている請求項１の移乗用車椅子。
項５
さらに、該一対の座席フレームの前方両側間にコの字型の連結部材を装着し、該一対の座席フレームを一定幅に保持するとともに、把部を構成する請求項１の移乗用車椅子。
項６
さらに、該一対の座席フレームの前方両側間の把部手前に腕乗台が架設されている請求項１の移乗用車椅子。
項７
さらに、該一対の座席フレームの後部両側間に着脱自在、又は両方の座席フレームのいずれか一方の後部下方水平軸に対し、一定幅をもって座席部材を面回動自在に取り付け、不使用時の定位置と使用時の定位置間で円弧状に反転移動するようにした請求項１の移乗用車椅子。
項８
さらに、該一対の座席フレームの後部開放端の両側間に着脱自在、又はいずれか一方の座席フレーム後部垂直軸の上部に対し、背もたれ部材を点回動自在に設け、不使用時の定位置と使用時の定位置間で円弧状に昇降移動するようにした請求項１の移乗用車椅子。
項９
基台フレーム、基台フレーム補強パイプ、キャスターからなる車台部材と、座席フレーム、座席フレーム補強部材、座席フレーム連結部材、腕乗台、床部材、背もたれ部材からなる座席台部材と、各部材の連結部具とが独立して収容されており請求項１の移乗用車椅子を構成するための移乗用車椅子キット。【００１２】  上記の構成の移乗用車椅子は、介護施設、病院、養護施設、住宅、で介護に携わっている介助者の労働軽減と介助人が一人で被介護者を移乗させ目的の用を足す事と被介護者が自立で目的の用を足す事が可能となる。また歩行用訓練補助具としても利用できる。
【発明の効果】
【００１３】  これらの問題点を改善した支持フレームで移乗用車椅子の垂直方向の接続部を嵌装連結方式で構成せれているので座席の高さ調整が簡単に出来き、また垂直方向の横ぶれ支持フレームをＵ字型にして接合部の継手を嵌装連結方式にした事で片持ち支持が２の支持が出来簡素化した丈夫な支持体が出来ている事と座席が水平から垂直に９０度回転可能でバネの力で使用しない時は、垂直に停止する。座席は、水平時には自重でバネの力では垂直に戻らずに水平に停止し着席しやすい環境が出来る。また落下防止扉４は、水平と垂直に停止する機能を具えた設備を設置した事で背もたれとしても利用が出来る座席５と落下防止扉４が垂直に停止する事で被介護者の乗り降りがベッドに座って介助者が背中やパンツを持って持ち上げて移乗用車椅子の腕載せ台３に体を預けさせて座位５を保持させ座席を水平に倒し被介護者を座らせてその後に落下防止扉４を水平に倒して安心した移乗が出来る環境が出来る。介助者が、被介護者を抱え上げる事なく移乗用車椅子に乗せる事が出来る。また排泄時には、介助者が被介護者の背中やパンツを持って持ち上げて移乗用車椅子の腕載せ台３に体を預けさせて座位を保持して座席を垂直に立てて被介護者を便座に座らせ移乗用車椅子の腕載せ台３を排泄用腕載せ台３とし落下防止扉４を背もたれにして利用が出来る。
本発明の移乗用車椅子は、前文を合わせ見ると簡素化した製品で高さ調整が出来安価で機能を備えた事で容易に被介護者を大掛かりに抱えなくてもベッドやソファーや浴室の椅子等に移乗できて介助者の労働軽減と人件費の削減につながり自宅での介護が一人でも出来る環境が望める。また被介護者の自立歩行用訓練と自立作業補助具としても利用できる。
【図面の簡単な説明】
【００１４】
【図１】図１は、移乗用車椅子の付属品を取り外して構造フレーム部材を斜視図である。
【図２】図２は、移乗用車椅子の付属品を取り外して構造フレームに破線で嵌装連結部を示した斜視図である。
【図３】図３は、移乗用車椅子フレーム下部と上部に分離の斜視図である。
【図４】図４は、移乗用車椅子の必要部材説明図である。
【図５】図５は、移乗用車椅子の構造フレーム部品の説明図である。
【図６】図６は、移乗用車椅子の重要な小物部品の詳細説明図である。
【図７】図７は、移乗用車椅子の正面から見た説明図である。
【図８】図８は、移乗用車椅子の背面から見た説明図である。
【図９】図９は、移乗用車椅子の上面から見た説明図である。
【図１０】図１０は、移乗用車椅子の下面から見た説明図である。
【図１１】図１１は、移乗用車椅子の左右対称左側面から見た説明図である。
【図１２】図１２は、移乗用車椅子の組み立てた状態を斜視にして見た斜視図である。
【図１３】図１３は、移乗用車椅子の図９で示すＡ−Ａ線断面を示した説明図である。
【図１４】図１４は、移乗用車椅子の組み立て斜視図にして見た座席５と落下防止扉４を水平から垂直に立てた説明図である。
【図１５】図１５は、アジャスター１９で停止してあった移乗用車椅子の中に被介護者がベッドに腰掛けてから移乗用車椅子を手すりにして自力で立ち上がった状態を示した使用状態を示す斜視図である。
【図１６】図１６は、移乗用車椅子の中で被介護者が自力で座席５を垂直から水平に倒し着席して落下防止扉４を垂直から水平に倒した状態を示した使用状態を示す斜視図である。
【図１７】図１７は、移乗用車椅子に被介護者が自力で乗りこみ落下防止扉４を閉じて目的の場所に向かう前の状況斜視図である。
【図１８】図１８は、介助者が被介護者をベッドに座らせて介助者が背中やパンツを持って持ち上げて移乗用車椅子の腕載せ台３に体を預けさせた状況を示す参考斜視図である。
【図１９】図１９は、介助者が被介護者をベッドに座らせて介助者が背中やパンツを持って持ち上げて移乗用車椅子の腕載せ台３に体を預けさせて座位を保持し座席を水平に倒し被介護者を座らせようとしている使用状態を示す斜視図である。
【図２０】図２０は、介助者が被介護者を目的の場所に連れて行く状況状態斜視図ある。
【図２１】図２１は介助者が被介護者の背中やパンツを持って持ち上げて移乗用車椅子の腕載せ台３に体を預けて立たせて座位を保持させ介助者が座席５を垂直に立てて落下防止扉４も垂直に立て一般の車椅子に移乗させている状況状態斜視図ある。
【図２２】図２２は、被介護者が移乗用車椅子で目的の場所（参考例トイレ）移乗用車椅子の座席５を垂直に立てトイレの洋便器で便座に座り排泄時に落下防止４を背もたれにし排泄状態を示した使用状態を示す斜視図である。
【図２３】図２３は被介護者が移乗用車椅子を補助具にして自力で家事仕事をしている状況斜視図である。
【図２４】図２４は被介護者が移乗用車椅子を補助具にして自力でノートパソコンを使用している状況斜視図である。
【発明を実施するための形態】
【００１５】  図１４に示すように、本発明は４つのキャスターを具え上部と下部の組み立て機構でフレーム間隔保持材２３を左右側面対称に手すりと座席５を支持させ座席フレーム２に嵌装連結して、座席フレーム２とフレーム補強材２１を基台フレーム１と垂直補強材１２に同時に嵌装連結して座席台とし、そして基台フレーム１は垂直方向と縦方向にして垂直補強材１２は垂直方向と横方向にして双方の垂直方向上部を締結バンド１６で一体に固定させて、そして前記の下部に水平横ぶれ防止板１３で基台フレーム１とフレーム補強材１１と垂直補強材１２をボルト７で締め付け、そして水平横ぶれ防止板１３と一体になった垂直縦ブレ防止板１４と垂直横ブレ防止板１５があり垂直横ぶれ防止板１５の上部を垂直補強材１２と基台フレーム１をボルト７で締め付け、また垂直縦ブレ防止板１４にはアジャスター１９が取り付けられ、そして水平横ぶれ防止板１３下部にストッパー付きキャスター１７をボルト７で締め付ける、そして締結バンド１６の上端には高さ調整ピン２４で上部半分と下部半分を分離して高さの調整をする事とでベッドの高さに合わせて、そして座席５と落下防止扉４を垂直に立たせて、被介護者をベッドに座らせて移乗用車椅子の基台フレーム１とフレーム補強材１１とキャスター１８はベッドの下フロアーの上で座席フレーム２とフレーム補強材２１を支持して、移乗用車椅子をアジャスター１９で停止させ被介護者をベッドに座らせて介助者が背中やパンツを持って持ち上げて移乗用車椅子の腕載せ台３に体を預けさせ座位を保持して垂直に立っている座席５を水平に倒し座らせて垂直に立っている落下防止扉４を水平に倒して目的の場所に移乗して用を足す事と被介護者が自立で目的の場所に行き行動の補助を出来る移乗用車椅子である。
【実施例１】
【００１６】  以下，図１乃至図２４により本発明の移乗用車椅子を更なる説明をする。【００１７】  図１は、付属品を取り外した必要部材の説明図である。移動を可能とする４つのキャスターを具える片持ち支持機構のフレームは、上前端部はフレーム間隔保持材２３を座席フレーム２に嵌装連結して、そして座席フレーム２とフレーム補強材２１を基台フレーム１と垂直補強材１２に同時に嵌装連結させ、また座席フレーム２とフレーム補強材２１はフレーム補強版２２に補強されて、そして基台フレーム１は垂直方向と縦方向にして垂直補強材１２は垂直方向と横方向に双方の垂直方向上部を締結バンド１６で一体に固定させて、そして前記の下部に水平横ぶれ防止板１３で基台フレーム１とフレーム補強材１１と垂直補強材１２をボルト７で締め付けて、そして水平横ぶれ防止板１３の下部にストッパー付きキャスター１７をボルト７で締め付けて、そして水平横ぶれ防止板１３と一体になった垂直縦ブレ防止板１４と垂直横ブレ防止板１５があり垂直横ぶれ防止板１５の上部を垂直補強材１２と基台フレーム１をボルト７で締め付けてまた垂直縦ブレ防止板１４にはアジャスター１９が取り付けられ、基台フレーム１と垂直補強材１２の上端には高さ調整ピン２４で上部半分と下部半分を分離して高さの調整をする、そして基台フレーム１の後方下部にキャスター１８が取り付けた付属品を取り外して必要部材の斜視説明図である尚使用される素材としては、樹脂、アルミ、鉄、ステンレス、合金、複合版、合成布、木製などがあげられる。【００１８】図２は、付属品を取り外して嵌装連結部の説明図である。
全体を斜視状態で見た状態を示す説明図でフレーム間隔保持材２３を座席フレーム２に嵌装連結結した図と、そして座席フレーム２とフレーム補強材２１を基台フレーム１と垂直補強材１２に同時に嵌装連結した図と、そして基台フレーム１にはフレーム補強材１１部材が挿入された付属品取り外した嵌装連結部の斜視説明図である。【００１９】図３は、移乗用車椅子フレーム上部と下部に脱着分離の参考斜視説明図である。
フレーム間隔保持材２３を座席フレーム２に嵌装連結し、そして座席フレーム２とフレーム補強材２１で上部半分になり高さ調整機能になる、そして下部半分が締結バンド１６で垂直補強材１２と基台フレーム１の上部を一体に固定して、そして下部を水平横ぶれ防止板１３で基台フレーム１とフレーム補強材１１と垂直補強材１２の下部をボルト７で締め付けて、そして水平横ぶれ防止板１３と一体になった垂直縦ブレ防止板１４と垂直横ブレ防止板１５があり垂直横ぶれ防止板１５の上部を垂直補強材１２と基台フレーム１をボルト７で締め付けて、また垂直縦ブレ防止板１４にはアジャスター１９が取り付けられ、そして水平横ぶれ防止板１３下部にストッパー付きキャスター１７をとりつけボルト７で締め付けて基台となる、そして基台フレーム１の後方下部にキャスター１８を取り付けた移乗用車椅子フレーム上部と下部に分離の説明図である【００２０】  図４は、移乗用車椅子の必要部材説明図である。
腕載せ台３、座席５、落下防止扉４、足載せ台６、を詳細説明図である。【００２１】  図５は、移乗用車椅子の構造フレーム部品の説明図である。
フレーム間隔保持材２３、座席フレーム２、フレーム補強材２１、フレーム補強板２２、基台フレーム１、フレーム補強材１１、垂直補強材１２、の形を説明した図である。【００２２】図６は、移乗用車椅子の重要な小物部品の詳細説明図である。
水平横ぶれ防止板１３、垂直縦ブレ防止板１４、垂直横ブレ防止板１５、締結バンド１６、キャスター１８、ストッパー付きキャスター１７、落下防止扉垂直水平停止機構４１、座席支持板５１、座席垂直水平停止バネ蝶番５２、高さ調整ピン２４、ボルト７、アジャスター１９、の説明図である。【００２３】  図７は、移乗用車椅子を正面から見た説明図である。
移乗用車椅子を正面から見た図で腕載せ台３の下部の前方にフレーム間隔保持材２３で左右間隔が保持させ、そして後方には落下防止扉４を垂直水平停止機構４１に取り付けフレーム間隔保持材２３に支持させている、そして下部に座席５が座席垂直水平停止バネ蝶番５２に取り付けられてまた座席垂直水平停止バネ蝶番５２は座席支持板５１取り付けて座席支持板５１は座席フレーム２に支持されている。そして下部と上部全体を高さ調整する高さ調整ピン２４がセットされて、締結バンド１６で基台フレーム１と垂直補強材１２の上部を一体に固定して、そして下部に水平横ぶれ防止板１３下部にストッパー付きキャスター１７をとりつけボルト７で締め付けて、そして垂直補強材１２の下部に水平横ぶれ防止板１３がボルト７で締め付けて水平横ぶれを保持している、正面から見た説明図である尚使用される素材としては、樹脂、アルミ、鉄、ステンレス、合金、複合版、合成布、木製などがあげられる。【００２４】  図８は、移乗用車椅子を背面から見た説明図である。
落下防止扉４を落下防止扉垂直水平停止機構４１に取り付けフレーム間隔保持材２３に支持させて、そして下部に座席５が座席垂直水平停止バネ蝶番５２に取り付けられてまた座席垂直水平停止バネ蝶番５２は座席支持板５１取り付けて座席支持板５１は座席フレーム２に支持されている。そして下部と上部全体を高さ調整する高さ調整ピン２４がセットされて締結バンド１６で基台フレーム１と垂直補強材１２の上部を一体に固定している、そして下部に水平横ぶれ防止板１３と一体になった垂直縦ブレ防止板１４と垂直横ブレ防止板１５があり垂直ブレ防止板１５の上部で垂直補強材１２基台フレーム１をボルト７で締め付けている、また垂直縦ブレ防止板１４にはアジャスター１９が取り付けられ、そして水平横ぶれ防止板１３下部にストッパー付きキャスター１７をボルト７で締め付けている、そして水平横ぶれ防止板１３と垂直補強材１２と基台フレーム１をボルト７で締め付けている。【００２５】  図９は、移乗用車椅子の上面から見た説明図である。
腕載せ台３と座席５が見え後方には落下防止扉４を垂直水平停止機構４１に取り付けフレーム間隔保持材２３に支持させている状態を上から見た説明図である。また図９に示すＡ−Ａ線断面図を図１３に示す。【００２６】  図１０は、移乗用車椅子の底面から見た説明図である。
ストッパー付きキャスター１７と水平横ぶれ防止板１３をボルト７で締め付けて、そしてその上部に水平横ぶれ防止板１３で基台フレーム１とフレーム補強材１１と垂直補強材１２の下部をボルト７で締め付けて、そして水平横ぶれ防止板１３にはアジャスター１９が挿入されている、そして基台フレーム１の後方にはキャスター１８が取り付けられている、そして後方には落下防止扉４を垂直水平停止機構４１に取り付けフレーム間隔保持材２３に支持させている、そして下部に座席５が座席垂直水平停止バネ蝶番５２に取り付けられてまた座席垂直水平停止バネ蝶番５２は座席支持板５１取り付けて座席支持板５１は座席フレーム２に支持されている。【００２７】  図１１は、移乗用車椅子の側面から見た説明図である。
腕載せ台３の下部の前方にフレーム間隔保持材２３が座席フレーム２に嵌装連結させて、そして後方には落下防止扉４を垂直水平停止機構４１に取り付けフレーム間隔保持材２３に支持させている、そして下部に座席５が座席垂直水平停止バネ蝶番５２に取り付けられてまた座席垂直水平停止バネ蝶番５２は座席支持板５１取り付けて座席支持板５１は座席フレーム２に支持されている。そして座席フレーム２をフレーム補強板２２が補強して座席のフレーム支持体になる、そして下部半分が締結バンド１６で垂直補強材１２と基台フレーム１の上部を一体に固定して、そして下部に水平横ぶれ防止板１３と一体になった垂直縦ブレ防止板１４と垂直横ブレ防止板１５があり垂直ブレ防止板１５の上部で垂直補強材１２基台フレーム１をボルト７で締め付けている、また垂直縦ブレ防止板１４にはアジャスター１９が取り付けられ、そして水平横ぶれ防止板１３下部にストッパー付きキャスター１７をボルト７で締め付けて、そして水平横ぶれ防止板１３で基台フレーム１とフレーム補強材１１と垂直補強材１２をボルト７で締め付ける、そして基台フレーム１の後方下部にキャスター１８を取り付けている。【００２８】  図１２は、移乗用車椅子の組み立てた状態を斜視から見た説明図である。
上前方上部から説明するとフレーム間隔保持材２３に腕載せ台３取り付けてあって、そして後方には落下防止扉４を垂直水平停止機構４１に取り付けフレーム間隔保持材２３に支持させている、そして下部に座席５が座席垂直水平停止バネ蝶番５２に取り付けられてまた座席垂直水平停止バネ蝶番５２は座席支持板５１取り付けて座席支持板５１は座席フレーム２に支持されている。下部前方には水平横ぶれ防止板１３下部にストッパー付きキャスター１７が取り付けられその上部に足載せ台６がセットされている。【００２９】  図１３は、図９に示すＡ−Ａ線断面の説明図である。
上前方上部から説明するとフレーム間隔保持材２３に腕載せ台３取り付けてある、そして前方に手すりで中部に腕載せ台３の断面があり、そして落下防止扉４を垂直水平停止機構４１に取り付けフレーム間隔保持材２３に支持させていて落下防止扉４の扉の断面が見え、そして下部に座席５が座席垂直水平停止バネ蝶番５２に取り付けられてまた座席垂直水平停止バネ蝶番５２は座席支持板５１取り付けて座席支持板５１は座席フレーム２に支持されている。また座席フレーム２下部にフレーム補強板２２で補強して上部全体のフレームになる、そして締結バンド１６で基台フレーム１と垂直補強材１２の上部を一体に固定して、そして下部に水平横ぶれ防止板１３で基台フレーム１とフレーム補強材１１と垂直補強材１２の下部をボルト７で締め付けて、そして下部に水平横ぶれ防止板１３と一体になった垂直縦ブレ防止板１４と垂直横ブレ防止板１５があり垂直ブレ防止板１５の上部で垂直補強材１２基台フレーム１をボルト７で締め付けている、また垂直縦ブレ防止板１４にはアジャスター１９が取り付けられ、そして水平横ぶれ防止板１３の下部にストッパー付きキャスター１７をボルト７で締め付けて、それから基台フレーム１の後方下部にキャスター１８を取り付けている。【００３０】  図１４は、移乗用車椅子の座席５は、座席垂直水平停止バネ蝶番５２に取り付けられてまた座席垂直水平停止バネ蝶番５２は座席支持板５１取り付けて座席支持板５１は座席フレーム２に支持されて水平から垂直に立てバネの力で垂直に保ちそして落下防止扉４を垂直水平停止機構４１に取り付けフレーム間隔保持材２３に支持させている、水平から垂直に立てた状態と足載せ台６が水平横ぶれ防止板１３にセットされたストッパー付きキャスター１７の上部に取り付けた事と、図６で示すように垂直水平停止機構４１は、たとえば好適には遮断機のように片持ちで垂直に降りて水平の位置で停止しまた垂直でも停止する機構を具えた部品とまた、図６で示すように座席垂直水平停止バネ蝶番５２は、たとえば好適にはばねを具えた蝶番で垂直にはバネの力で停止し水平に倒した時にはバネの力で緩やかに座席の重みで水平の位置に座席支持板５１に支持させて停止する事を説明した状態を示す詳細説明図である。【００３１】  図１５は、移乗用車椅子をベッドの高さに合わせアジャスター１９で停止させて、座席５と落下防止扉４を垂直に停止させ被介護者が移乗用車椅子の腕載せ台３を手すりにして立ち上がり座席と落下防止扉を倒す直前を示した状態を示す詳細説明図である。【００３２】  図１６は、移乗用車椅子をベッドの高さに合わせアジャスター１９で停止させて、座席５と落下防止扉４を垂直に停止させ被介護者が移乗用車椅子の腕載せ台３を手すりにして立ち上がり座席と落下防止扉を倒し着席して目的の場所に行ける直前を示した状態を示す詳細説明図である。【００３３】  図１７は、被介護者が自力で移乗用車椅子を歩行用器具として目的の場所に移動をしている状態を示す参考説明図である。【００３４】  図１８は、介助者が被介護者をベッドに座らせ移乗用車椅子を被介護者のベッドに座っている場所に移乗用車椅子を基台フレーム１とキャスター１８はベッドの下フロアーの上にスライドさせて入��ベッドの上は座席フレーム２と座席フレーム２１に支持させた座席支持板５１に座席垂直水平停止バネ蝶番５２にセットした、座席５を垂直に立てた状態とフレーム間隔保持材２３に支持させた落下防止扉垂直水平停止機構４１にセットした落下防止扉４を垂直に立てた状態で差し込み介助人が被介護者の背中やパンツを持って持ち上げようとしている状態を示した説明図である。【００３５】  図１９は、介助人が被介護者の背中やパンツを持って持ち上げて被介護人を腕載せ台３に座位を保持させて垂直に立てあった座席５を倒して水平にして被介護者を座席に座らせて垂直に立ててあった落下防止扉４を水平に倒す前の状況を示した使用状態を示す斜視図である。【００３６】  図２０は、介護者が被介護者を連れて目的の場所に連れて行く状態を示した状況斜視図ある。【００３７】  図２１は、介助者が被介護者を移乗用車椅子座席から立ち上がらさせ移乗用車椅子の腕載せ台３で座位を保持させ水平になっていた座席５を垂直に起こしまた水平になっていた落下防止扉４を垂直に起こして一般の車椅子に移乗させている状況状態斜視図ある。【００３８】  図２２は、被介護者が移乗用車椅子で目的の場所（参考例トイレ）移乗用車椅子の座席５反転させてトイレの洋便器で便座に座り排泄時に座席５を背もたれにして排泄状態を示した使用状態を示す斜視図である。【００３９】  図２３は被介護者が移乗用車椅子を補助具にして自力で家事仕事をしている状況斜視図である。【００４０】  図２４は被介護者が移乗用車椅子を補助具にしてノートパソコンを使用している状況斜視図である。【００４１】  以上本発明によると移乗用車椅子は、介護施設で労働されている介助者は元よりこれからの高齢化社会において住宅での介護が必要不可欠な家庭が急増する事は間違いの無いところで腰痛に悩まされまた一人で被介護者を持ち上げて車椅子での移動は困難な事であるがそれでも介護を視野入れる必要がある。また多少行動できる被介護者ならベッドに座りアジャスター１９をセットさせ移乗用車椅子なら自力で乗り込み自力で用を足す事が出来る。この様な事を想定すると被介護者と介助者に役に立つ移乗用車椅子である。また自立歩行用訓練補助具としても利用できる。
【産業上の利用可能性】
【００４２】  以上本発明によると移乗用車椅子は、介助者の労働軽減と人件費削減を出来る事と大きく課題になっている介助者の腰痛を軽減する事と被介護者が自立でベッドに座り移乗用車椅子に乗り込み目的の場所に行き用を足す手段になる事で有効に活用できる。
【符号の説明】
【００４３】  １      基台フレーム
１１      フレーム補強材
１２      垂直補強材
１３      水平横ぶれ防止板
１４      垂直縦ブレ防止板
１５      垂直横ブレ防止板
１６      締結バンド
１７      ストッパー付きキャスター
１８      キャスター
１９      アジャスター
２      座席フレーム
２１      フレーム補強材
２２      フレーム補強板
２３      フレーム間隔保持材
２４      高さ調整ピン
３      腕載せ台３
４      落下防止扉
４１      落下防止扉垂直水平停止機構
５      座席
５１      座席支持板
５２      座席垂直水平停止バネ蝶番
６      足載せ台
７      ボルト
【図１】
2013163006.tif 000003
【図２】
2013163006.tif 000004
【図３】
2013163006.tif 000005
【図４】
2013163006.tif 000006
【図５】
2013163006.tif 000007
【図６】
2013163006.tif 000008
【図７】
2013163006.tif 000009
【図８】
2013163006.tif 000010
【図９】
2013163006.tif 000011
【図１０】
2013163006.tif 000012
【図１１】
2013163006.tif 000013
【図１２】
2013163006.tif 000014
【図１３】
2013163006.tif 000015
【図１４】
2013163006.tif 000016
【図１５】
2013163006.tif 000017
【図１６】
2013163006.tif 000018
【図１７】
2013163006.tif 000019
【図１８】
2013163006.tif 000020
【図１９】
2013163006.tif 000021
【図２０】
2013163006.tif 000022
【図２１】
2013163006.tif 000023
【図２２】
2013163006.tif 000024
【図２３】
2013163006.tif 000025
【図２４】
2013163006.tif 000026